(57)【要約】【課題】実装ケース内における光学部材の破損等を防止する。【解決手段】電気光学装置は、複数の画素が配置された画素領域を有する電気光学パネル（１００）と、電気光学パネルの一のパネル面に対向するように設けられ、画素領域に少なくともに部分的に重なる光学部材（２００）と、電気光学パネル及び光学部材を収容する実装ケース（６００）とを備え、実装ケースにおける一のパネル面に対向する一の部分（６１０ａ）には、一のパネル面側に向かって突出する凸部（６１２）が設けられており、電気光学パネルは、実装ケース内において凸部によって保持され、光学部材は、凸部に基づく段差に応じて電気光学パネルと実装ケースとの間に生じる間隙内に配置される。【選択図】図６
2010096801.tif 000002
【特許請求の範囲】
【請求項１】
複数の画素が配置された画素領域を有する電気光学パネルと、
該電気光学パネルの一のパネル面に対向するように設けられ、前記画素領域に少なくともに部分的に重なる光学部材と、
前記電気光学パネル及び前記光学部材を収容する実装ケースと
を備え、
前記実装ケースにおける前記一のパネル面に対向する一の部分には、前記一のパネル面側に向かって突出する凸部が設けられており、
前記電気光学パネルは、前記実装ケース内において前記凸部によって保持され、
前記光学部材は、前記凸部に基づく段差に応じて前記電気光学パネルと前記実装ケースとの間に生じる間隙内に配置される
ことを特徴とする電気光学装置。
【請求項２】
前記凸部は、前記電気光学パネルの前記画素領域の外周側に、局所的に複数設けられることを特徴とする請求項１に記載の電気光学装置。
【請求項３】
前記凸部は、前記電気光学パネルの前記画素領域の外周側に、前記画素領域の周縁の一部に沿うパターンで設けられることを特徴とする請求項１又は２に記載の電気光学装置。
【請求項４】
前記凸部は、前記電気光学パネルの前記画素領域の外周側に、前記画素領域の周縁に沿う額縁状のパターンで設けられることを特徴とする請求項１に記載の電気光学装置。
【請求項５】
前記凸部は、前記実装ケースにおける前記一の部分から前記電気光学パネルの前記一のパネル面に交わる側面に沿うように延設された他の部分との間に間隙を有するように設けられ、
前記間隙に形成され、前記電気光学パネルを前記他の部分に対して貼り付ける接着材を備える
ことを特徴とする請求項１から４のいずれか一項に記載の電気光学装置。
【請求項６】
前記実装ケースは、
前記電気光学パネルを包囲する開口部を有する第１の保持部材と、
前記開口部を覆うように前記第１の保持部材に装着される第２の保持部材と
を含み、
前記凸部は、前記第１及び第２の保持部材の少なくとも一方に形成される
ことを特徴とする請求項１から５のいずれか一項に記載の電気光学装置。
【請求項７】
前記光学部材は、位相差板を含むことを特徴とする請求項１から６のいずれか一項に記載の電気光学装置。
【請求項８】
複数の画素が配置された画素領域を有する電気光学パネルと、
前記電気光学パネルの少なくとも側面を覆う実装ケースとを備え、
前記実装ケースは、前記画素領域の周辺に位置する周辺領域と対向する一の部分と、前記一の部分から前記電気光学パネル側に突出する凸部とを有し、
前記電気光学パネルは、前記実装ケース内において前記凸部によって保持されてなる
ことを特徴とする電気光学装置。
【請求項９】
請求項１から８のいずれか一項に記載の電気光学装置を具備してなることを特徴とする電子機器。
【発明の詳細な説明】
【技術分野】
【０００１】
本発明は、例えば液晶装置等の電気光学装置、及び該電気光学装置を備えた電子機器の技術分野に関する。
【背景技術】
【０００２】
この種の電気光学装置は、液晶パネル等の電気光学パネルが実装ケースに実装ないしは収容されてなり、例えばデジタルカメラ等の電子ビューファインダー（ＥＶＦ;Electronic View Finder）や、プロジェクタのライトバルブに適用される。
【０００３】
例えば特許文献１では、実装ケースにおいてモールド部材に段差を設けてバックライトの導光板から、バックライトに対して設けられた光学補償フィルム（プリズムシート等）を自由に保持する構成が開示されている。
【０００４】
【特許文献１】特開平１１−１９４３３６号公報
【発明の開示】
【発明が解決しようとする課題】
【０００５】
上述した電気光学装置では、電気光学パネルには偏光板や位相差板等の光学部材が設けられる。実装ケースに電気光学パネル及び光学部材を固定する際に、光学部材が実装ケースの内壁に押し付けられて接触することで、光学部材に破損や歪みが生じ、電気光学装置において表示不良が発生する問題点が生じ得る。
【０００６】
本発明は、例えば上述した問題点に鑑みなされたものであり、実装ケース内における光学部材の破損等を防止して高品質な表示を行うことが可能な電気光学装置、及びこのような電気光学装置を電子ビューファインダーに適用したデジタルカメラ等の電子機器を提供することを課題とする。
【課題を解決するための手段】
【０００７】
本発明に係る第１の電気光学装置は上記課題を解決するために、複数の画素が配置された画素領域を有する電気光学パネルと、該電気光学パネルの一のパネル面に対向するように設けられ、前記画素領域に少なくともに部分的に重なる光学部材と、前記電気光学パネル及び前記光学部材を収容する実装ケースとを備え、前記実装ケースにおける前記一のパネル面に対向する一の部分には、前記一のパネル面側に向かって突出する凸部が設けられており、前記電気光学パネルは、前記実装ケース内において前記凸部によって保持され、前記光学部材は、前記凸部に基づく段差に応じて前記電気光学パネルと前記実装ケースとの間に生じる間隙内に配置される。
【０００８】
本発明に係る第１の電気光学装置において、電気光学パネルの一例たる液晶パネルでは、画素領域において各画素の単位で印加される電圧レベルに応じて、例えば電気光学物質である液晶において光を変調する。このように液晶において変調された光源からの光は表示光として液晶パネルから出射される。電気光学パネルには、入射又は出射する光を偏光する偏光板や、その位相差補償を行う位相差板等の光学部材が設けられる。光学部材は、電気光学パネルの一のパネル面の法線方向から見て、電気光学パネルの画素領域に少なくとも部分的に重なるように（典型的には、画素領域に重なるように）設けられる。電気光学パネル及び光学部材は実装ケース内に収容される。尚、光学部材に含まれる偏光板或いは位相差板等について、その少なくとも一部が電気光学パネルとは別に実装ケース外に設けられるようにしてもよい。
【０００９】
本発明に係る第１の電気光学装置では、電気光学パネルを保持する実装ケースの内壁に凸部が形成される。凸部は、実装ケースにおける電気光学パネルの一のパネル面に対向する一の部分（言い換えれば、実装ケースの内壁のうち電気光学パネルの一のパネル面に対向する部分）に、電気光学パネルの一のパネル面側に向かって凸状に突出するように設けられている。実装ケース内において電気光学パネルは凸部と接触してこれに保持されるように配置される。実装ケースの一の部分（即ち、実装ケースの凸部が形成された内壁の一部）において、凸部の表面部分と凸部が形成されていない表面部分とで段差が生じている。このような凸部に基づく段差に応じて電気光学パネルと実装ケースの内壁との間に間隙が生じる。
【００１０】
光学部材は、実装ケース内において電気光学パネルと実装ケースの内壁との間に前述のように生じた間隙内に配置される。即ち、本発明では電気光学パネルについて光学部材が配置される側に面する実装ケースの内壁の一部（つまり、光学部材が配置される一のパネル面に対向する一の部分）に凸部を設け、この凸部で電気光学パネルを支持して電気光学パネルと内壁との間に間隙を設け、この間隙内に光学部材を配置する。従って、凸部に基づく段差を光学部材の厚みに応じて調整することで、光学部材を電気光学パネル及び実装ケース間の間隙内において、実装ケースと接触しないように設けることができる。よって、実装ケース内においてその内壁に光学部材が接触し、これに起因して光学部材に破損や歪み等が生じるほどの応力が殆ど加わらないようにする、或いはその応力を軽減することが可能となる。従って、例えば実装ケース内に電気光学パネルを接着材で貼り付け固定する際等に、光学部材と実装ケースとの接触により、光学部材が破損等する事態を防止することができる。
【００１１】
よって、以上説明したような本発明に係る第１の電気光学装置では、実装ケース内における光学部材の破損等により、表示ムラ等の顕著な表示不良が発生するのを防止することができる。その結果、電気光学装置の表示品質を向上させて、高品質な表示を行うことが可能となる。
【００１２】
本発明に係る第１の電気光学装置の一態様では、前記凸部は、前記電気光学パネルの前記画素領域の外周側に、局所的に複数設けられる。
【００１３】
この態様では、実装ケースにおいて、凸部により電気光学パネルを支持することで歪み等が生じないように、凸部を画素領域の外周側に複数個所に局所的に配置する。ここに、実装ケースには画素領域に対する光源からの光を入射させる、或いは画素領域からの表示光を出射させるための窓が規定される。この態様では、凸部は、実装ケースにおける例えば窓を規定する部分（言い換えれば、画素領域に対応する窓を取り囲む部分）に配置される。
【００１４】
よって、この態様では、実装ケースにおいて凸部をより簡易な構成で且つ容易に形成しつつ、凸部による支持で電気光学パネル及び光学部材に対して加わる応力に偏りが生じないようにバランス良く保持することができる。
【００１５】
本発明に係る第１の電気光学装置の他の態様では、前記凸部は、前記電気光学パネルの前記画素領域の外周側に、前記画素領域の周縁の一部に沿うパターンで設けられる。
【００１６】
この態様では、凸部は画素領域の周縁に部分的に沿うパターンで形成され、上述のように凸部を局所的に設ける構成と比較して、実装ケースの内壁においてより広い領域に凸部が形成される。従って、電気光学パネルとの接触面積をより広くすることでより安定してバランス良く電気光学パネルを凸部により支持することが可能となる。尚、上述のように局所的に配置された凸部と共に、画素領域の周縁に部分的に沿う他の凸部が配置されるようにしてもよい。
【００１７】
本発明に係る第１の電気光学装置の他の態様では、前記凸部は、前記電気光学パネルの前記画素領域の外周側に、前記画素領域の周縁に沿う額縁状のパターンで設けられる。
【００１８】
この態様では、凸部は画素領域の周縁に額縁状に沿うパターンで形成され、実装ケースの内壁においてより広い領域に凸部が形成される。従って、電気光学パネルとの接触面積をより広くすることができ、より安定してバランス良く電気光学パネルを凸部により支持することが可能となる。
【００１９】
本発明に係る第１の電気光学装置の他の態様では、前記凸部は、前記実装ケースにおける前記一の部分から前記電気光学パネルの前記一のパネル面に交わる側面に沿うように延設された他の部分との間に間隙を有するように設けられ、前記間隙に形成され、前記電気光学パネルを前記他の部分に対して貼り付ける接着材を備える。
【００２０】
この態様では、凸部を、実装ケースにおける電気光学パネルの側面に沿って延びるように形成された他の部分に対して間隙を設けて配置する。電気光学パネルは、凸部と他の部分との間に形成された接着材により他の部分に貼り付けられて固定される。
【００２１】
従ってこの態様では、光学部材と接着材とが接触しないようにして、接着材を介して光学部材に強い応力が加わることで、破損等が生じるのを防止することができる。また、凸部と他の部分との間隙に設けることで、接着材を凸部に近接して配置することでき、電気光学パネル及び実装ケースとの間隙を凸部に基づく段差に応じて所定値に維持し、凸部により安定して電気光学パネルを支持して固定することが可能となる。
【００２２】
本発明に係る第１の電気光学装置の他の態様では、前記実装ケースは、前記電気光学パネルを包囲する開口部を有する第１の保持部材と、前記開口部を覆うように前記第１の保持部材に装着される第２の保持部材とを含み、前記凸部は、前記第１及び第２の保持部材の少なくとも一方に形成される。
【００２３】
この態様では、実装ケースにおいて、第１の保持部材は電気光学パネルを収容するための開口を規定する開口部を有する。実装ケース内において、電気光学パネル及び光学部材はその周縁部側からフレームの開口部に包囲され、その開口内に収容される。第２の保持部材は板状部材により形成され、開口部による開口を覆うようにフレームに対して装着される。
【００２４】
凸部は、第１及び第２の保持部材の少なくとも一方に形成される。従って、第１及び第２の保持部材の少なくとも一方において、その内壁と電気光学パネルとの間に凸部に基づく段差に応じて間隙が形成され、この間隙内に光学部材が配置される。よって、この態様では、実装ケースにおいて第１及び第２の保持部材の少なくとも一方に対して光学部材が接触しないように設けることができる。
【００２５】
本発明に係る第１の電気光学装置の他の態様では、前記光学部材は、位相差板を含む。
【００２６】
この態様では、光学部材のうち、より応力が加わることでより破損や歪みが生じやすい位相差板が実装ケースと接触して、強い応力が加わるのを防止することができる。
【００２７】
本発明に係る第２の電気光学装置は上記課題を解決するために、複数の画素が配置された画素領域を有する電気光学パネルと、前記電気光学パネルの少なくとも側面を覆う実装ケースとを備え、前記実装ケースは、前記画素領域の周辺に位置する周辺領域と対向する一の部分と、前記一の部分から前記電気光学パネル側に突出する凸部とを有し、前記電気光学パネルは、前記実装ケース内において前記凸部によって保持されてなる。
【００２８】
本発明に係る第２の電気光学装置によれば、電気光学パネルは周辺領域において実装ケースの凸部によって支持される。よって、例えば、上述した本発明に係る第１の電気光学装置と概ね同様に、例えば実装ケース内に電気光学パネルを接着材で貼り付け固定する際等に、実装ケース内において、例えば画素領域を含む領域に設けられる光学部材と実装ケースとの接触により、光学部材が破損等する事態を防止することができる。尚、本発明に係る第２の電気光学装置においても、上述した本発明に係る第１の電気光学装置における各種態様と同様の各種態様を採ることが可能である。
【００２９】
本発明の電子機器は上記課題を解決するために、上述した本発明の電気光学装置（但し、その各種態様も含む）を具備する。
【００３０】
本発明の電子機器によれば、高品質な表示を行うことが可能な電子ビューファインダーを有するデジタルカメラ、ビデオカメラ、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００３１】
本発明の作用及び他の利得は次に説明する実施するための最良の形態から明らかにされる。
【発明を実施するための最良の形態】
【００３２】
以下、本発明の電気光学装置に係る実施形態を図面に基づいて説明する。尚、以下の実施形態では、本発明の電気光学装置として、ＴＦＴ（Thin Film Transistor）アクティブマトリクス駆動方式の液晶装置を例に挙げる。
【００３３】
先ず、液晶装置を電子ビューファインダーに適用した、電子機器の一例であるデジタルカメラについて説明する。
【００３４】
図１は、本実施形態に係るデジタルカメラを概略的に示す斜視図である。
【００３５】
図１において、本実施形態に係るデジタルカメラ３０００は、撮影用のレンズ３３００や液晶モニタ画面３１００と共に、電子ビューファインダー３２００を有している。電子ビューファインダー３２００には、本実施形態に係る液晶装置が適用され、液晶装置に表示された撮像画面が接眼部において拡大され、観察者がこれを目視にて観察しながら、デジタルカメラ３０００で撮影を行うことが可能となっている。
【００３６】
図２は、液晶装置を適用した電子ビューファインダーの構成を模式的に示す模式図である。
【００３７】
図２において、電子ビューファインダーは、実装ケース６００に収容された液晶パネル１００及び光学部材２００を含む液晶装置と、この液晶装置の表示画像を拡大可能な接眼部５００とを含む。尚、液晶装置の構成については後に詳細に説明するが、実装ケース６００には、液晶パネル１００及び光学部材２００と共に、好ましくは光源たるバックライトも収容される。
【００３８】
液晶装置において、図２中白抜き矢印で示すように、実装ケース６００内のバックライトから供給された光は、液晶パネル１００の各画素において変調され、表示光として実装ケース６００の窓から出射される。液晶装置から表示光が接眼部５００に入射され、接眼レンズ５１０から出射されることで、接眼部５００において液晶装置の表示画像である撮像画面が拡大されて、観察者Ａ０がこれを観察することが可能となっている。
【００３９】
次に、本実施形態に係る液晶装置の全体構成について、図３から図７を参照して説明する。尚、以下の図では、各層・各部材を図面上で認識可能な程度の大きさとするため、各図ごとに各層・各部材ごとの縮尺を異ならしめて図示されることもある。
【００４０】
先ず、図３及び図４を参照して、液晶装置に設けられた液晶パネルの構成について説明する。
【００４１】
図３は、本実施形態に係る液晶パネルの全体構成を示す平面図であり、図４は、図３のＨ−Ｈ’線での断面図である。
【００４２】
図３及び図４において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、本発明に係る「画素領域」の一例としての画像表示領域１０ａの周囲に位置するシール領域に設けられたシール材５２により相互に接着されている。シール材５２は、両基板を貼り合わせるための、紫外線硬化樹脂からなり、製造プロセスにおいてＴＦＴアレイ基板１０上に塗布された後、紫外線照射により硬化させられたものである。また、シール材５２中には、ＴＦＴアレイ基板１０と対向基板２０との間隔（基板間ギャップ）を所定値とするためのグラスファイバ或いはガラスビーズ等のギャップ材（図示せず）が散布されている。
【００４３】
図４において、シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４４】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００４５】
対向基板２０の４つのコーナー部に対して、両基板間において上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００４６】
図４において、ＴＦＴアレイ基板１０上には、駆動素子である画素スイッチング用ＴＦＴや走査線、データ線等の配線が作り込まれた積層構造が形成される。この積層構造の詳細な説明については図示を省略してあるが、画像表示領域１０ａには、画素スイッチング用ＴＦＴや走査線、データ線等の配線の上層に画素電極９ａが設けられている。画素電極９ａは典型的にはＩＴＯ（Indium Tin Oxide）等の透明材料により、画素毎に所定のパターンで島状に形成される。
【００４７】
画素電極９ａ上には、配向膜（図示せず）が形成されている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成されている。対向電極２１上には配向膜（図示せず）が形成されている。また、液晶層５０は、例えば一種又は数種類のネマティック液晶を混合した液晶からなり、これら一対の配向膜間で、所定の配向状態をとる。
【００４８】
液晶パネル１００の駆動時において、画素毎に画素電極９ａには画像信号が供給され、対向電極２１との間で一定期間保持される。このようにして印加される電圧レベルにより液晶層５０を構成する液晶は、分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として画像表示領域１０ａにおいて画像信号に応じたコントラストをもつ光が出射する。尚、詳細な説明は省略するが、各画素はデータ線や走査線に画像信号等の各種信号が供給されることにより駆動され、画素電極９ａは画素スイッチング用ＴＦＴによりスイッチング制御される。
【００４９】
ここでは図示しないが、ＴＦＴアレイ基板１０上には、データ線駆動回路１０１、走査線駆動回路１０４等の他に、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該液晶装置の品質、欠陥等を検査するための検査回路、検査用パターン等が形成されていてもよい。
【００５０】
本実施形態に係る液晶装置は、以上に説明したような液晶パネル１００が実装ケース内に収容されてなる。
【００５１】
図５は、実装ケースの構成の一例を概略的に示す断面図である。
【００５２】
図５において、実装ケース６００は一例として、液晶パネル１００を収容するフレーム６１０と、バックライト８００を収容するバックライト用ケース６３０とがフック６２０によって一体的に連結されて構成される。尚、フレーム６１０は、本発明に係る「第１の保持部材」の一例であり、フック６２０は、本発明に係る「第２の保持部材」の一例である。ここで、「保持部材」とは、直接的に液晶パネル１００を保持する部材はもちろんであるが、例えば、液晶パネル１００が一方の部材から剥離した場合に、液晶パネル１００の受け部材として機能する他方の部材等、間接的に保持する部材をも含むものとする。
【００５３】
液晶パネル１００は、そのパネル面（より具体的には、図３及び図４を参照して上述した、ＴＦＴアレイ基板１０及び対向基板２０の各々における液晶層５０に面する側とは反対側の表面）に偏光板や位相差板を含む光学部材２００が設けられた状態で、フレーム６１０内に収容される。フレーム６１０及びバックライト用ケース６３０には各々の継ぎ目において、光源たるバックライト８００から供給される光が、図５中の白抜き矢印で示すように液晶パネル１００に対して入射可能なように窓が規定される。液晶パネル１００の各画素において変調されたバックライト８００からの光は表示光として、実装ケース６００においてフック６２０によって規定される窓６２５ｈから、図５中の白抜き矢印で示すように出射される。
【００５４】
フレーム６１０を構成する部材は、液晶パネル１００を収容するためくり抜かれたような状態となっており、これによる開口を開口部６１５が規定している。フレーム６１０内に液晶パネル１００はその周縁部側から開口部６１５に包囲され、その開口内に収容される。
【００５５】
このような蓋無き箱型の如き形状を有するフレーム６１０に対して、いわば蓋として機能し得るフック６２０が装着される。フック６２０は、例えばアルミニウム等の金属から形成された板状の部材である。フック６２０は、実装ケース６００内において液晶パネル１００の一面に対向して開口部６１５を覆うようにフレーム６１０に対して装着される。フック６２０を構成する部材の一部が開口形状に窓６２５ｈを規定するように形成される。
【００５６】
本実施形態では特に、実装ケース６００においてフレーム６１０及びフック６２０のうち少なくとも一方について、液晶パネル１００を収容する側に面する内壁に凸部が設けられる。この凸部の構成について、図６及び図７を参照して説明する。
【００５７】
図６は、図５の点線Ｃ０で囲まれた部分の構成を拡大して示す拡大図であり、図７は、凸部についてフレームや電気光学パネル等との配置関係や形状の一例を概略的に示す平面図である。
【００５８】
図６において、凸部６１２は、フレーム６１０における液晶パネル１００のパネル面に対向する部分に、液晶パネル１００側に向かって突出するように設けられている。具体的には、凸部６１２は、フレーム６１０の液晶パネル１００に面する壁部分６１０ａの内壁部分が液晶パネル１００に向かって凸状に突出することで形成されている。尚、凸部６１２は、本発明に係る「凸部」の一例であり、壁部分６１０は、本発明に係る「一の部分」の一例である。
【００５９】
図６及び図７において、凸部６１２は、好ましくはフレーム６１０において、液晶パネル１００に対して光学部材２００が配置される側に面する壁部分６１０ａに配置される。フレーム６１０内において液晶パネル１００は凸部６１２と接触してこれに保持される。
【００６０】
フレーム６１０の凸部６１２が形成された壁部分６１０ａには、凸部６１２の表面部分と凸部６１２が形成されていない表面部分とで段差が生じている。このような凸部６１２に基づく段差に応じて液晶パネル１００とフレーム６１０の壁部分６１０ａとの間に間隙が生じる。
【００６１】
図６において、光学部材２００は、液晶パネル１００に対して入射又は出射する光を偏光する偏光板２１０や、その位相差補償を行う位相差板２２０を含む。光学部材２００は、液晶パネル１００とフレーム６１０の壁部分６１０ａとの間に前述のように生じた間隙内に配置される。
【００６２】
図６及び図７において、凸部６１２は、フレーム６１０における壁部分６１０ａから液晶パネル１００の側面に沿うように延設された他の壁部分６１０ｂの内壁に対して、好ましくは間隙ｄ１をあけて配置される。尚、他の壁部分６１０ｂは、本発明に係る「他の部分」の一例である。
【００６３】
図６に示すように、液晶パネル１００は、凸部６１２と他の壁部分６１０ｂとの間に形成された接着材７００により他の壁部分６１０ｂに貼り付けられて固定される。
【００６４】
図５を参照して説明したように、フレーム６１０において凸部６１２が形成された壁部分６１０ａは、バックライト用ケース６３０にフック６２０によって連結されており、この壁部分６１０ａにおいてバックライト８００からの光を入射させるための窓が規定される。
【００６５】
図７において、壁部分６１０ａにおいて凸部６１２は、図２又は図３に示す画像表示領域１０ａの外周側に、その周縁に部分的に沿うパターンで複数個所に形成される。例えば、図７では画像表示領域１０ａの４辺の各々に沿って、その外周側に４箇所に形成される。
【００６６】
よって、例えば凸部６１２を局所的に設ける構成（一例として後述の図１２）と比較して、図６に示す壁部分６１０ａにおいてより広い領域に凸部６１２が形成される。従って、液晶パネル１００との接触面積をより広くし、且つ複数個所に凸部６１２を設けることでより安定してバランス良く液晶パネル１００を凸部６１２により支持することが可能となる。また、図６に示すように凸部６１２と他の内壁部分６１０ｂとの間隙ｄ１に設けることで、接着材７００を凸部６１２に近接して配置することでき、液晶パネル１００及び壁部分６１０ａとの間隙を凸部６１２に基づく段差に応じて所定値に維持し、凸部６１２により安定して液晶パネル１００を支持して固定することが可能となる。
【００６７】
図６に示すように、凸部６１２を設けることで、液晶パネル１００に対して、光学部材２００が配置される側に壁部分６１０ａが離間されて面している。従って、凸部６１２に基づく段差を光学部材２００の厚みに応じて調整することで、光学部材２００を液晶パネル１００及び壁部分６１０ａ間の間隙内において、フレーム６１０と接触しないように設けることができる。よって、フレーム６１０内においてその内壁に光学部材２００が接触し、これに起因して光学部材２００に破損や歪み等が生じるほどの応力が殆ど加わらないようにする、或いはその応力を軽減することが可能となる。
【００６８】
従って、例えばフレーム６１０内に液晶パネル１００を接着材７００で貼り付け固定する際等に、光学部材２００とフレーム６１０との接触により、光学部材２００が破損等する事態を防止することができる。加えて、液晶パネル１００を他の壁部分６１０ｂに対して接着固定するように接着材７００が設けられる。よって、光学部材２００と接着材７００とが接触しないようにして、接着材７００を介して光学部材２００に強い応力が加わることで、破損等が生じるのを防止することができる。特に、光学部材２００のうち位相差板２２０は偏光板２１０よりも応力が加わることで破損等が生じ易く、これに起因して液晶装置における表示に与える影響も大きい。本実施形態では、位相差板２２０について実装ケース６００内での接触により、強い応力が加わるのをより確実に防止することができる。
【００６９】
従って、以上説明したような本実施形態では、実装ケース６００内における光学部材２００の破損等により、表示ムラ等の顕著な表示不良が液晶装置で発生するのを防止することができる。その結果、液晶装置の表示品質を向上させて、高品質な表示を行うことが可能となる。これにより、図１を参照して説明したようなデジタルカメラ３０００の電子ビューファインダー３２００において、図２に示す観察者Ａ０が、液晶装置におけるより的確な撮像画面を観察しつつ、撮影等を行うことが可能となる。
【００７０】
続いて、本実施形態の変形例について、図８から図１３を参照して説明する。
【００７１】
図８から図１３は夫々、変形例について図７と同様に凸部の構成例を概略的に示す平面図である。
【００７２】
凸部６１２は、図７に示す構成例に限られず、図８（ａ）から図８（ｃ）に示すように画像表示領域１０ａの同図中の横方向又は縦方向に向かい合う２辺の各々に沿って、その外周側に２箇所或いは４箇所に形成される。もしくは図９（ａ）に示すように、画像表示領域１０ａの同図中の横方向に向かい合う２辺に沿って、その外周側に８箇所、或いは図９（ｂ）に示すように、画像表示領域１０ａの同図中の縦方向に向かい合う２辺に沿って、その外周側に６箇所に形成される。図９（ｃ）に示すように、画像表示領域１０ａの同図中の横方向に向かい合う２辺の各々に沿って、その外周側に３箇所に形成される。或いは、図１０に示すように、画像表示領域１０ａの４隅の角部に沿って外周側に４箇所に形成される。このように構成する場合も、本実施形態と同様に液晶パネル１００との接触面積をより広くし、且つ複数個所に凸部６１２を設けることでより安定してバランス良く液晶パネル１００を凸部６１２により支持することが可能となる。
【００７３】
また他の変形例によれば、図１１に示すように、画像表示領域１０ａの外周側に、画像表示領域１０ａの周縁に沿う額縁状のパターンで凸部６１２が設けられる。従って、図６に示す壁部分６１０ａにおいてより広い領域に凸部６１２を形成し、液晶パネル１００との接触面積をより広くすることができ、より安定してバランス良く液晶パネルを凸部６１２により支持することが可能となる。
【００７４】
或いは他の変形例では、図１２（ａ）から図１２（ｃ）に示すように、画像表示領域１０ａの外周側に、凸部６１２が局所的に複数個所に設けられる。この場合に、凸部６１２により液晶パネル１００を支持することで歪み等が生じないように、凸部６１２が各箇所に配置される。図１２（ａ）では、画像表示領域１０ａの４隅に対して外周側に４箇所に形成され、図１２（ｂ）では、画像表示領域１０ａの同図中の横方向に向かい合う２辺に対して、その外周側に３箇所に形成され、図１２（ｃ）では６箇所に形成される。よって、凸部６１２をより簡易な構成で且つ容易に形成しつつ、凸部６１２による支持で液晶パネル１００及び光学部材２００に対して加わる応力に偏りが生じないようにバランス良く保持することができる。
【００７５】
図１３（ａ）から図１３（ｃ）に示すように、図１２に示す構成例と、図７から図１０に示す構成例とを組み合わせるようにしてもよい。例えば図１３（ａ）又は図１３（ｃ）では、画像表示領域１０ａの外周側に、その周縁に部分的に沿うパターンで１箇所に凸部６１２が設けられる共に、画像表示領域１０ａの角部に対して２箇所に他の凸部６１２が設けられる。図１３（ｂ）では、図１２（ａ）に示す構成と同様に、画像表示領域１０ａの外周側に、その角部に対して４箇所に凸部６１２が設けられる。
【００７６】
本発明は上述の実施形態で説明した液晶装置以外にも、シリコン基板上に素子を形成する反射型液晶装置（ＬＣＯＳ）、プラズマディスプレイ（ＰＤＰ）、電解放出型ディスプレイ（ＦＥＤ、ＳＥＤ）、有機ＥＬディスプレイ、デジタルマイクロミラーデバイス（ＤＭＤ）、電気泳動装置等にも適用可能である。
【００７７】
また本発明は上述のような電子ビューファインダーを有するデジタルカメラの他に、ビデオカメラ、或いはテレビ、携帯電話、ＰＯＳ端末、タッチパネル、プロジェクタ等の各種電子機器に適用することも可能である。
【００７８】
本発明は、上述した実施形態に限られるものではなく、請求の範囲及び明細書全体から読み取れる発明の要旨或いは思想に反しない範囲で適宜変更可能であり、そのような変更を伴う電気光学装置及び電子機器もまた本発明の技術的範囲に含まれるものである。
【図面の簡単な説明】
【００７９】
【図１】液晶装置を電子ビューファインダーに適用した、電子機器の一例たるデジタルカメラを概略的に示す斜視図である。
【図２】液晶装置を適用した電子ビューファインダーの構成を模式的に示す模式図である。
【図３】液晶装置の全体構成を示す平面図である。
【図４】図３のＨ−Ｈ’線での断面図である。
【図５】実装ケースの構成の一例を概略的に示す断面図である。
【図６】図５の点線Ｃ０で囲まれた部分の構成を拡大して示す拡大図である。
【図７】凸部についてフレームや電気光学パネル等との配置関係や形状の一例を概略的に示す平面図である。
【図８】一の変形例について図７と同様に凸部の構成例を概略的に示す平面図である。
【図９】他の変形例について図７と同様に凸部の構成例を概略的に示す平面図である。
【図１０】他の変形例について図７と同様に凸部の構成例を概略的に示す平面図である。
【図１１】他の変形例について図７と同様に凸部の構成例を概略的に示す平面図である。
【図１２】他の変形例について図７と同様に凸部の構成例を概略的に示す平面図である。
【図１３】他の変形例について図７と同様に凸部の構成例を概略的に示す平面図である。
【符号の説明】
【００８０】
１０ａ…画像表示領域、１００…液晶パネル、２００…光学部材、６００…実装ケース、６１０…フレーム、６１２…凸部、６２０…フック
【図１】
2010096801.tif 000003
【図２】
2010096801.tif 000004
【図３】
2010096801.tif 000005
【図４】
2010096801.tif 000006
【図５】
2010096801.tif 000007
【図６】
2010096801.tif 000008
【図７】
2010096801.tif 000009
【図８】
2010096801.tif 000010
【図９】
2010096801.tif 000011
【図１０】
2010096801.tif 000012
【図１１】
2010096801.tif 000013
【図１２】
2010096801.tif 000014
【図１３】
2010096801.tif 000015